(57)【要約】【課題】巾木を使用する場合と使用しない場合を選択可能とするとともに、巾木を使用しない場合でも体裁を損なわない巾木の取付構造を提供する。【解決手段】パネル本体１の下面の左右両端部に、パネル本体１を支持する支持脚７が取付けられており、その支持脚７の前後面のそれぞれに巾木８を取付ける巾木の取付構造において、支持脚７にねじ孔９付きの受け片１０を設け、表裏両面に係合手段１５が形成された巾木受け部材７を、受け片１０にねじ止めし、巾木８の両端部に巾木取付け部材１７を取付け、この巾木取付け部材１７を係合手段１５に着脱自在に係合する。【選択図】図１１
2005290832.tif 000002
【特許請求の範囲】
【請求項１】
パネル本体の下面の両端部に、パネル本体を支持する支持脚が取付けられており、その支持脚の表裏面に巾木を取付ける巾木の取付構造において、
前記支持脚にねじ孔付きの受け片を設け、表裏両面に係合手段が形成された巾木受け部材を、前記受け片にねじ止めし、巾木の両端部に巾木取付け部材を取付け、この巾木取付け部材を前記係合手段に着脱自在に係合するようにしたことを特徴とする巾木の取付構造。
【請求項２】
受け片を、支持脚からパネル本体とほぼ平行をなすように突出させ、ねじ孔を該パネル本体とほぼ直角をなす方向に形成し、巾木受け部材には、受け片に係合させる係合溝および該係合溝に貫通する挿通孔を形成し、該挿通孔に挿通されるねじを前記ねじ孔にねじ止させて、巾木受け部材を支持脚に取付けたことを特徴とする請求項１記載の巾木の取付構造。
【請求項３】
巾木受け部材の係止手段は、互いに対向して配置された上部の下向き凹溝と、下部の上向き凹溝とで構成し、巾木取付け部材には、上部に巾木の長手方向を向く円筒形の係止突部を、下部には上向きに湾曲した弾性係止片をそれぞれ設け、前記係止突部および弾性係止片をそれぞれ前記上部係止溝および下部係止溝に係合させたことを特徴とする請求項１または２記載の巾木の取付構造。
【請求項４】
巾木を、細長い矩形をなす表面部と、その上部縁に形成した側面視下向きＬ字状の折曲縁部と、その下部縁に形成した側面視上向きＬ字状の折曲縁部とにより構成し、この折曲縁部に切欠き部を形成し、巾木取付け部材の側部に形成した弾性係止爪を前記切欠き部の両端部における前記折曲縁部の裏側に係止することにより、巾木に巾木取付け部材を取り付けたことを特徴とする請求項１〜３のいずれか１項に記載の巾木の取付構造。
【請求項５】
巾木受け部材の上向き凹溝の上端部内面に、横向きの凸条を形成し、この凸条の下部に巾木取付け部材の弾性係止片を係合させたことを特徴とする請求項１〜４のいずれか１項に記載の巾木の取付構造。
【発明の詳細な説明】
【技術分野】
【０００１】
本発明は、空間を区画するために使用されるローパーティション等において、パネル本体と床面との間の隙間を塞ぐための、巾木の取付構造に関する。
【背景技術】
【０００２】
オフィス等の執務空間内で、空間を区画するために使用されるローパーティションにおいては、パネル体の下端部は使用者の足等によって、傷ついてしまったり、汚れてしまったりすることが多いため、パネル本体下方に、パネルとは別体の巾木を取付ける場合が多い。最も簡易的な巾木の取付構造としては、パネル本体の下面に巾木を直接ねじ止する構造のものがある（例えば、特許文献１参照）。
【０００３】
また、パネル本体を支持する支持脚に、巾木を着脱自在に取付ける構造のものもある（例えば、特許文献２参照）。
【特許文献１】特許第２８７３５６６号
【特許文献２】実公平０２−０２６１７２号
【発明の開示】
【発明が解決しようとする課題】
【０００４】
しかしながら、近年のオフィス環境においては、ローパーティションにおいても、配線処理機能を有していることが望まれる場合があり、特許文献１に記載されている構造では、巾木を簡単には取り外せない構造であるため、配線処理を行なうことが困難であるという問題点を有していた。
【０００５】
特許文献２に記載されている巾木の取付構造では、巾木を着脱自在に取付ける構造になっており、配線処理の点は改善されているが、この構造は、巾木を取付けて使用することを想定した構造となっているため、ローパーティションを使用する環境に応じて、巾木を使用しない形態の場合は、巾木の取付手段である、係合孔、係合片、係合突部等が露出してしまい、外観の体裁が悪くなるという問題があった。
【０００６】
本発明は、従来の技術が有する上記のような問題点に鑑み、巾木を使用する場合と使用しない場合を選択可能とするとともに、巾木を使用しない場合でも体裁を損なわないようにした巾木の取付構造を提供することを目的としている。
【課題を解決するための手段】
【０００７】
本発明によると、上記課題は、次のようにして解決される。
(１) パネル本体の下面の両端部に、パネル本体を支持する支持脚が取付けられており、その支持脚の表裏面に巾木を取付ける巾木の取付構造において、前記支持脚にねじ孔付きの受け片を設け、表裏両面に係合手段が形成された巾木受け部材を、前記受け片にねじ止めし、巾木の両端部に巾木取付け部材を取付け、この巾木取付け部材を前記係合手段に着脱自在に係合する。
【０００８】
(２)上記(１)項において、受け片を、支持脚からパネル本体とほぼ平行をなすように突出させ、ねじ孔を該パネル本体とほぼ直角をなす方向に形成し、巾木受け部材には、受け片に係合させる係合溝および該係合溝に貫通する挿通孔を形成し、該挿通孔に挿通されるねじを前記ねじ孔にねじ止させて巾木受け部材を支持脚に取付ける。
【０００９】
(３)上記(１)または(２)項において、巾木受け部材の係止手段は、互いに対向して配置された上部の下向き凹溝と、下部の上向き凹溝とで構成し、巾木取付け部材には、上部に巾木の長手方向を向く円筒形の係止突部を、下部には上向きに湾曲した弾性係止片をそれぞれ設け、前記係止突部および弾性係止片をそれぞれ前記上部係止溝および下部係止溝に係合させる。
【００１０】
(４)上記(１)〜(３)項のいずれかにおいて、巾木を、細長い矩形をなす表面部と、その上部縁に形成した側面視下向きＬ字状の折曲縁部と、その下部縁に形成した側面視上向きＬ字状の折曲部とにより構成し、この折曲縁部に切欠き部を形成し、巾木取付け部材の側部に形成した弾性係止爪を前記切欠き部の両端部における前記折曲縁部の裏側に係止することにより、巾木に巾木取付け部材を取り付ける。
【００１１】
(５)上記(１)〜(３)項のいずれかにおいて、巾木受け部材の上向き凹溝の上端部内面に、横向きの凸条を形成し、この凸条の下部に巾木取付け部材の弾性係止片を係合さる。
【発明の効果】
【００１２】
本発明によると、次のような効果を奏することができる。
(ａ)請求項１記載の発明によると、巾木を支持脚に着脱自在に取付けているので、ローパーティションを使用する環境に応じて、巾木を使用する場合と使用しない場合を自由に選択することが可能となるとともに、支持脚には受け片を突出させるだけで、巾木取付けのための特別な加工をしていないため、支持脚の加工も簡単であり、かつ巾木を取付けずに使用した際においても、外観を損なわず、体裁よく使用できる。
【００１３】
(ｂ)請求項２記載の発明によると、支持脚の受け片に係合させた巾木受け部材を、パネル本体と直交する方向からねじ操作で簡単に取付けることができるので、ねじ操作が容易であり、巾木受け部材の取付け取外しが容易である。
【００１４】
（ｃ）請求項３記載の発明によると、巾木受け部材の下向き凹溝および上向き凹溝に、巾木取付け部材の係止突部および弾性係止片をそれぞれ係合させることにより、巾木の支持脚への取付けが、ねじ等を使用することなく係合操作のみで簡単に行える。
【００１５】
(ｄ) 請求項４記載の発明によると、巾木の折曲縁部に形成した切欠き部に、巾木取付け部材の弾性係止爪を挿入して折曲縁部の裏側に係止することにより、巾木への巾木受け部材の取付けが、ねじ等を使用することなく挿入操作のみで簡単に行える。
【００１６】
(ｅ)請求項５記載の発明によると、巾木受け部材の上向き凹溝に形成した凸条の下部に、巾木取付け部材の弾性係止片を係合させることにより、取り付けた巾木の下端部にパネル内方に向う力が掛かった際においても、凸条がストッパの役割を果たし、巾木を強固に保持するとともに、凸条が弾性係止片に当接することによって、巾木取付の際の正規の取り付け位置を位置決めすることができる。
【発明を実施するための最良の形態】
【００１７】
以下、本発明の巾木の取付構造の一実施形態を図面を参照して説明する。
図１は、巾木の取付構造を適用したローパーティションの正面図である。
同図に示すように、パネル本体(１)は、ガラス(２)および両側の縦枠(３)および下枠(４)を備えている。下枠(４)の下面には、アジャスタボルト(５)が高さ調整可能にねじ止されている支持脚(６)が取付けられ、この支持脚(６)に巾木受け部材(７)が取付けられ、巾木受け部材(７)に巾木(８)が取付けられている。
【００１８】
図２および図３は、支持脚(６)の部分の拡大図である。支持脚(６)は、パネル本体(１)の外端縁方向に向く取付部(6a)と、アジャスタボルト(５)がねじ止されているボス部(6b)とからなる側面ほぼＬ字形のもので、ボス部(6b)の内側にねじ孔(９)付きの受け片(10)が突設されている。
【００１９】
図４は、図２の巾木受け部材をＡ方向から見た側面図、図５は、図４のＶ−Ｖ線断面図である。
巾木受け部材の(７)は、上下方向を向く基部(11)の上部に、上部および前部に開口する溝(12)、および溝(12)に貫通する孔(13)が形成された取付部(14)が形成され、かつ基部(11)の表裏（図４の左右）に対称的に係止手段(15)が設けられたものである。この係止手段(15)は、下向きに湾曲した上部係止溝(15a)と、上向きに湾曲した上向き凹溝(15b)とからなり、上向き凹溝(15b)の上端部分には凸条(16)が形成されている。
【００２０】
図２および図３に示すように、取付部(14)の溝(12)を支持脚(６)の受け片(10)に嵌合させ、孔(13)からねじ孔(９)にねじ(18)をねじ込むことにより、巾木受け部材(７)は、支持脚(６)に固定される。
【００２１】
図６は、巾木に巾木取付け部材を取付けた状態の平面図、図７は、同じく、正面図、図８は、同じく、側面図、図９は巾木の正面図、図１０は、図７のＸ−Ｘ線拡大断面図である。
【００２２】
巾木取付け部材(17)は、表面板(17a)と両側に折曲された側縁部(17b)とからなる断面チャンネル状のもので、側縁部(17b)の上下に切り起しの係止爪(19)が形成され、前部には、上部に円筒状の係止突部(20)が突設され、下部には上向きに湾曲した弾性係止片(21)が設けられたものである。図９に示すように、巾木(８)には、上部に側面視下向きＬ字状、下部に側面視上向きＬ字状の折曲縁部(22)が形成され、この折曲縁部(22)に切欠き部(23)が形成されている。
【００２３】
図１０に示すように、切欠き部(23)に係止爪(19)を挿入し、弾性作用により折曲縁部(23)の裏面で係止させる。これにより、巾木取付け部材(17)は巾木(８)の両端の２箇所に取付けられる。
【００２４】
図１１は、巾木(８)を巾木受け部材(７)に取付ける手順を示している。巾木取付け部材(17)を取付けた巾木(８)を傾斜させた状態から(ａ)、係止突部(20)を巾木受け部材(７)の下向き凹溝(15a)に嵌め込み(ｂ)、次いで、弾性係止片(21)を上向き凹溝(15b)に当て(ｃ)、凸条(16)の下部に係合させる(ｄ)。これにより、弾性係止片(21)は、上向き凹溝(15b)に確実に係合される。巾木受け部材(７)の反対側の面にも同様にして巾木(８)を取付ける。巾木(８)を取り外すときは上記と逆の手順で行えばよい。
【図面の簡単な説明】
【００２５】
【図１】巾木の取付構造を適用したローパーティションの正面図である。
【図２】支持脚の部分の拡大図で、巾木受け部材の取付け前の状態を示している。
【図３】支持脚の部分の拡大図で、巾木受け部材を取付けた状態を示している。
【図４】図２の巾木受け部材をＡ方向から見た側面図である。
【図５】図４のＶ−Ｖ線断面図である。
【図６】巾木に巾木取付け部材を取付けた状態の平面図である。
【図７】同じく、正面図である。
【図８】同じく、側面図である。
【図９】巾木の正面図である。
【図１０】図７のＸ−Ｘ線拡大断面図である。
【図１１】巾木を巾木受け部材に取付ける手順を示す側面図である。
【符号の説明】
【００２６】
（１）パネル本体
（２）ガラス
（３）縦枠
（４）下枠
（５）アジャスタボルト
（６）支持脚
(6a)取付部
(6b)ボス部
（７）巾木受け部材
（８）巾木
（９）ねじ孔
(10)受け片
(11)基部
(12)溝
(13)孔
(14)取付部
(15)係止手段
(15a)下向き凹溝
(15b)上向き凹溝
(16)凸条
(17)巾木取付け部材
(17a)表面板
(17b)側縁部
(18)ねじ
(19)係止爪
(20)係止突部
(21)弾性係止片
(22)折曲縁部
(23)切欠き部
【図１】
2005290832.tif 000003
【図２】
2005290832.tif 000004
【図３】
2005290832.tif 000005
【図４】
2005290832.tif 000006
【図５】
2005290832.tif 000007
【図６】
2005290832.tif 000008
【図７】
2005290832.tif 000009
【図８】
2005290832.tif 000010
【図９】
2005290832.tif 000011
【図１０】
2005290832.tif 000012
【図１１】
2005290832.tif 000013